(57)【要約】【課題】ワイヤハーネスに横方向から力が作用しても、ワイヤハーネスと充填剤との剥がれを防止してシール性を確保し、安定した防水性を有するグロメットを提供する。【解決手段】グロメット１０の円筒部１０ｂの開放端部１０ｇから突出する長尺部材２の屈曲を規制する規制手段１１をグロメット１０に設ける。長尺部材２に横方向の力が作用して、長尺部材２が屈曲しようとすると、長尺部材２が規制手段１１に当接して屈曲が規制される。これによって、長尺部材２と充填剤３の接合部１２に作用する力を緩和して長尺部材２と充填剤３との剥がれを防止するようにした構成を特徴とする。【選択図】　　　　図１
2004023903.tif 000002
【特許請求の範囲】
【請求項１】
取付板に形成された取付孔に長尺部材を挿通保持するために、前記長尺部材を挿通可能な円筒部を有し、前記円筒部内に充填剤が充填されるグロメットであって、
前記充填剤から突出する前記長尺部材の屈曲を規制する規制手段が設けられていることを特徴とするグロメット。
【請求項２】
前記規制手段は、前記長尺部材に対して略平行に配置された壁部材であることを特徴とする請求項１に記載したグロメット。
【請求項３】
前記壁部材は、前記充填剤に埋設されていることを特徴とする請求項２に記載したグロメット。
【請求項４】
前記壁部材は、前記長尺部材に密着していることを特徴とする請求項３に記載したグロメット。
【請求項５】
前記壁部材は、前記円筒部の外周面に沿うと共に前記円筒部の前記開放端部から突出するように固定されていることを特徴とする請求項２に記載したグロメット。
【請求項６】
前記壁部材は、断面略半円形状であることを特徴とする請求項２に記載したグロメット。
【請求項７】
前記壁部材は、断面略Ｌ字形状であることを特徴とする請求項２に記載したグロメット。
【請求項８】
前記壁部材は、円筒形状であることを特徴とする請求項２に記載したグロメット。
【請求項９】
前記壁部材は、コルゲートチューブ状であることを特徴とする請求項２に記載したグロメット。
【発明の詳細な説明】
【０００１】
【発明の属する技術分野】
本発明は、グロメットに係り、例えばワイヤハーネス等を保護すると共に、ワイヤハーネスと充填剤との接合部からの水等の侵入を防止するシール性に優れ、ワイヤハーネス等を車両に配索するのに好適なグロメットに関する。
【０００２】
【従来の技術】
従来より、車輛のエンジンルームから室内へワイヤハーネス等を配線するために、グロメットが用いられている。グロメットは、エンジンルームと室内とを仕切るパネルにワイヤハーネス等を通すためのものであって、パネルに設けられた取付孔に嵌め込み、取付孔を密封状態に保ちながらワイヤハーネス等を貫通させるようになっている。
【０００３】
図１０に示すように、従来のグロメット１は、ワイヤ挿通部１ａと、シール部１ｂと、取付部１ｃとが、合成ゴム等により一体に成形されて製作されている。ワイヤ挿通部１ａは、ワイヤハーネス２を挿通させて保持するためのものであって、内径寸法がワイヤハーネス２の外径寸法と略同じ寸法となっている。
【０００４】
シール部１ｂは、ワイヤハーネス２を挿通させた後、シール部１ｂ内に充填剤３を充填してワイヤハーネス２を水密に封止するようになっている。
取付部１ｃは、周溝１ｄを有し、パネル４に設けられた取付孔４ａに周溝１ｄを嵌合させて取付孔４ａを密封状態に保持するようになっている。
【０００５】
【発明が解決しようとする課題】
ところで、ワイヤハーネス２に横方向から力が作用すると、ワイヤハーネス２は、充填剤３の表面側の接合部５で曲げられ、結果としてワイヤハーネス２と充填剤３とが、充填剤３の接合部５を起点として剥がれる場合があった。
ワイヤハーネス２と充填剤３と間に隙間が生じると、シール性が損なわれ、隙間から水等が室内に侵入し、室内の床や室内のものを濡らしてしまうという問題点があった。
【０００６】
本発明は、前述した問題点に鑑みてなされたものであり、その目的は、ワイヤハーネスに横方向から力が作用しても、ワイヤハーネスと充填剤との間のシール性を確保し、安定した防水性を有するグロメットを提供することにある。
【０００７】
【課題を解決するための手段】
前述した目的を達成するために、本発明は、請求項１に記載したように、取付板に形成された取付孔に長尺部材を挿通保持するために、前記長尺部材を挿通可能な円筒部を有し、前記円筒部内に充填剤が充填されるグロメットであって、
前記円筒部の開放端部から突出する前記長尺部材の屈曲を規制する規制手段が設けられていることをことを特徴としている。
【０００８】
ここで、グロメットは、車輛のエンジンルームと室内とを仕切るパネル等にワイヤハーネス等を通すために、例えば合成ゴム等で一体成形された部材である。取付板としては、一例として車輛のエンジンルームと室内を仕切るパネル等が例示できる。また、長尺部材としては、例えばエンジンルームから室内に配線されるワイヤハーネス等を例示できる。更に規制手段としては、例えば板状、筒状、コイル状あるいは棒状等に、グロメットより大きな剛性を有する合成樹脂、金属あるいは合成ゴム等で成形されたプロテクタを例示できる。
【０００９】
このように構成されたグロメットにおいては、円筒部の開放端部から突出する長尺部材の屈曲を規制する規制手段が設けられている。長尺部材に横方向の力が作用すると、長尺部材が屈曲しようとするが、規制手段に当接して屈曲が規制される。
これによって、長尺部材は、充填剤の接合部での曲げが防止される。
【００１０】
従って、このグロメットにおいては、長尺部材と充填剤とが剥がれて隙間が生じ、シール性能が損なわれることはない。
これによって、従来のような、長尺部材と充填剤の隙間から水等が室内に侵入し、床や室内のものを濡らしてしまうという問題を解消できることになる。
【００１１】
また、本発明は、請求項２に記載したように、請求項１に記載したグロメットであって、前記規制手段は、前記長尺部材に対して略平行に配置された壁部材であることを特徴としている。
【００１２】
ここで、壁部材としては、断面略半円形、断面略Ｌ字形あるいは帯状の部材であり、グロメットより大きな剛性を有する、例えば金属、合成樹脂、合成ゴム等で製作されたプロテクタを例示できる。
【００１３】
このように構成されたグロメットにおいては、壁部材が長尺部材に対して略平行に配置されている。長尺部材が屈曲しようとすると、長尺部材が壁部材に直接接触することにより、長尺部材の屈曲を直接的に規制できることになる。
従って、このグロメットにおいては、従来のような長尺部材の屈曲に起因する長尺部材と充填剤との剥がれを確実に防止することができることになる。
【００１４】
また、本発明は、請求項３に記載したように、請求項２に記載したグロメットであって、前記壁部材は、前記充填剤に埋設されていることを特徴としている。
【００１５】
このように構成されたグロメットにおいては、壁部材が充填剤に埋設され、長尺部材に隣接して固定されているので、長尺部材に屈曲が発生すると、直ちに壁部材に当接する。
従って、このグロメットにおいては、長尺部材が曲り始めると、すぐに曲りが規制され、長尺部材の曲りが阻止される。これによって、従来のような、長尺部材が大きく曲がって、長尺部材と充填剤との間に隙間が生じるという問題を解消できることになる。
【００１６】
また、本発明は、請求項４に記載したように、請求項３に記載したグロメットであって、前記壁部材は、前記長尺部材に密着していることを特徴としている。
【００１７】
このように構成されたグロメットにおいては、壁部材は、長尺部材に密着して状態で充填剤に埋設されているので、充填剤の接合部で長尺部材の曲りが生じることがない。
従って、このグロメットにおいては、従来のような充填剤とワイヤハーネスの接合部に力が作用することはなく、請求項３の効果を更に向上させることができ、長尺部材が充填剤から剥がれるという問題を確実に解消できることになる。
【００１８】
また、本発明は、請求項５に記載したように、請求項２に記載したグロメットであって、前記壁部材は、前記円筒部の外周面に沿うと共に前記円筒部の前記開放端部から突出するように固定されていることを特徴としている。
【００１９】
このように構成されたグロメットにおいては、壁部材は、円筒部の外周面に沿うと共に、円筒部の開放端部から突出するように固定されている。これによって、円筒部近傍において、横方向からの力が、長尺部材に直接に作用することが阻止できることになる。
従って、このグロメットにおいては、長尺部材を屈曲させる方向に作用する力の作用点が、円筒部から遠くなるので、充填剤の接合部に加わる力を緩和できることになる。
【００２０】
また、本発明は、請求項６に記載したように、請求項２に記載したグロメットであって、前記壁部材は、断面略半円形状であることを特徴としている。
【００２１】
このように構成されたグロメットにおいては、壁部材は、断面略半円形状となっているので、横方向から長尺部材に作用する力の方向に合わせて円筒部に容易に配設することができる。
従って、確実に長尺部材の屈曲を防止でき、また作業性が向上することになる。また、長尺部材がワイヤハーネス等のように断面略円形の部材である場合には、壁部材の面積の全体で長尺部材を支持することができる。従って、壁部材の一部に力が集中することがなく、長尺部材に作用する力を分散させて支承できることになる。
【００２２】
また、本発明は、請求項７に記載したように、請求項２に記載したグロメットであって、前記壁部材は、断面略Ｌ字形状であることを特徴としている。
【００２３】
このように構成されたグロメットにおいては、壁部材は、断面略Ｌ字形状の単純な形状となっているので、請求項６で述べた効果に加えて、壁部材を容易、かつ、安価に製作できることになる。
【００２４】
また、本発明は、請求項８に記載したように、請求項２に記載したグロメットであって、前記壁部材は、円筒形状であることを特徴としている。
【００２５】
このように構成されたグロメットにおいては、壁部材は、円筒形状となっているので、長尺部材を屈曲させるように作用する力がどの方向から作用しても、長尺部材の屈曲を確実に防止できることになる。
従って、このグロメットにおいては、長尺部材に作用する力の方向と無関係に、従来のような長尺部材が充填剤から剥がれ、シール性能が劣化するという問題を解消できることになる。
【００２６】
また、本発明は、請求項９に記載したように、請求項２に記載したグロメットであって、前記壁部材は、コルゲートチューブ状であることを特徴としている。
【００２７】
このように構成されたグロメットにおいては、壁部材は、コルゲートチューブ状の部材として構成されている。コルゲートチューブは、可撓性を有するため、長尺部材に横方向から力が作用すると、長尺部材と共にコルゲートチューブも屈曲することになる。
これによって、長尺部材に作用する力がコルゲートチューブにも分散され、長尺部材の屈曲部が一箇所に集中することが防止され、長尺部材を損傷から保護できることになる。
【００２８】
【発明の実施の形態】
以下本発明に係る実施形態を図面に基づいて詳細に説明する。
図１に示すように、本発明に係る第１実施形態のグロメット１０は、ワイヤ挿通部１０ａと、円筒部１０ｂと、取付部（図示せず）とが合成ゴム等によって一体に成形されて製作されている。円筒部１０ｂ、および取付部は、ワイヤ挿通部１０ａから連続し、かつ、ワイヤ挿通部１０ａの互いに反対側に形成されている。
【００２９】
ワイヤ挿通部１０ａは、長尺部材であるワイヤハーネス２を貫通孔１０ｄに挿通させて保持するためのものであって、貫通孔１０ｄの内径寸法は、ワイヤハーネス２の外径寸法と略同じ寸法となっている。
取付部は、図１０に示す従来のグロメット１と同様に、周溝（図示せず）を有し、取付板であるパネル（図示せず）に設けられた取付孔（図示せず）に周溝を嵌合させて密封状態に保持するようになっている。
【００３０】
円筒部１０ｂは、円錐形状部１０ｅを介してワイヤ挿通部１０ａに連続して形成されており、貫通孔１０ｄに連通する充填室１０ｆが形成されている。
そして、取付部、ワイヤ挿通部１０ａの貫通孔１０ｄ、および充填室１０ｆにワイヤハーネス２を挿通させた後、円筒部１０ｂ内に充填剤３を充填してワイヤハーネス２を水密に封止するようになっている。
【００３１】
充填剤３には、規制手段であるプロテクタ１１が、ワイヤハーネス２に沿うようにテープ等に固定され、かつ、略平行に埋設されている。プロテクタ１１は、少なくともグロメット１０より大きな剛性を有する合成樹脂、金属あるいは合成ゴム等で製作された断面略Ｕ字形の部材であり、円筒部１０ｂの開放端部１０ｇから外方に突出して配置されている。
なお、充填剤３は、ワイヤハーネス２に対してプロテクタ１１をテープ等に固定してから充填してもよく、あるいはワイヤハーネス２に対してプロテクタ１１を所定寸法離間するように配置してから充填してもよい。
【００３２】
前述したグロメット１０によれば、ワイヤハーネス２に横方向から力が作用すると、ワイヤハーネス２は、僅かに曲げられた状態でプロテクタ１１に当接する。それ以後の屈曲は、プロテクタ１１によって阻止される。
従って、充填剤３の接合部１２には、ほとんど力がかからず、充填剤３とワイヤハーネス２との剥がれが防止できる。また、これによって、ワイヤハーネス２と充填剤３との間に隙間が形成されることはなく、水等が室内に侵入することが阻止される。
【００３３】
図２に示すように、本発明に係る第２実施形態のグロメット２０は、ワイヤ挿通部２０ａと、円筒部２０ｂと、取付部２０ｃとが、合成ゴム等によって一体に成形されて製作されている。円筒部２０ｂは、ワイヤ挿通部２０ａから連続して形成されている。また、取付部２０ｃは、円筒部２０ｂの反対側に配設され、ワイヤ挿通部２０ａと蛇腹部２０ｄを介して連続して形成されている。
【００３４】
ワイヤ挿通部２０ａは、長尺部材であるワイヤハーネス２を貫通孔（図示せず）に挿通させて保持するためのものであって、貫通孔の内径寸法は、ワイヤハーネス２の外径寸法と略同じ寸法となっている。
円筒部２０ｂには、ワイヤハーネス２の外径寸法より大きな内径寸法を有するカップ状の充填室２０ｅが、ワイヤ挿通部２０ａの貫通孔に連通して形成されている。
【００３５】
取付部２０ｃは、取付板であるパネル（図示せず）に設けられた取付孔（図示せず）と同一形状の略Ｕ字形状のリブが二重に設けられており、リブの全周にわたって周溝２０ｆが形成されている。
パネルへの取付け時に、周溝２０ｆをパネルの取付孔に嵌合させて密封状態に保持するようになっている。
【００３６】
壁部材であるプロテクタ２１は、グロメット２０より大きい剛性を有する、例えば金属、合成樹脂、硬質ゴム等の素材を断面略Ｕ字形に成形して製作されている。プロテクタ２１は、ワイヤハーネス２に沿うようにテープ等に固定され、充填剤３に埋設されている。
なお、充填剤３は、ワイヤハーネス２に対してプロテクタ２１をテープ等に固定してから充填してもよく、あるいはワイヤハーネス２に対してプロテクタ２１を所定寸法離間するように配置してから充填してもよい。
【００３７】
プロテクタ２１は、ワイヤハーネス２と密着させて配置してもよく、また、ワイヤハーネス２との間に適宜の隙間を設け、隙間に充填剤３を充填するようにしてもよい。プロテクタ２１とワイヤハーネス２とが密着している場合には、ワイヤハーネス２に横方向から力が作用すると、ワイヤハーネス２は、全く屈曲することなくプロテクタ２１で保持される。
また、プロテクタ２１とワイヤハーネス２との間に隙間が設けられている場合には、ワイヤハーネス２に多少の融通性を付与することができる。ワイヤハーネス２の設置条件に応じて、いずれかを選択することも可能である。
【００３８】
プロテクタ２１の一端２１ａは、円筒部２０ｂの開放端部２０ｇから突出している。プロテクタ２１の開放端部２０ｇからの突出長さは、長い程、ワイヤハーネス２の屈曲を保護する性能が大きい。
設置スペースおよびワイヤハーネス２に作用する力の大きさ等の使用条件に応じて、最適長さが決定される。通常は、円筒部２０ｂの直径と略同等の長さに設定される。
【００３９】
前述したグロメット２０によれば、第１実施形態のグロメット１０と同様に、ワイヤハーネス２に横方向から力が作用しても、ワイヤハーネス２はプロテクタ２１によって支持され、ワイヤハーネス２の屈曲が直接的に規制される。
従って、ワイヤハーネス２と充填剤３との接合部に力が作用せず、充填剤３からのワイヤハーネス２の剥がれが防止され、シール性能が劣化することはない。
【００４０】
図３は、本発明に係る第３実施形態のグロメットの斜視図である。なお、以下に説明する実施の形態において、既に図２において説明した部材等については、図中に同一符号あるいは相当符号を付すことにより説明を簡略化あるいは省略する。
【００４１】
図３に示すように、本発明に係る第３実施形態のグロメット３０は、断面略Ｌ字形に形成されたプロテクタ３１が、ワイヤハーネス２と略平行にテープ等に固定されて円筒部２０ｂ内に配置され、充填剤３に埋設されている。プロテクタ３１の一端３１ａは、円筒部２０ｂの開放端部２０ｇから突出して配設されている。
なお、充填剤３は、ワイヤハーネス２に対してプロテクタ３１をテープ等に固定してから充填してもよく、あるいはワイヤハーネス２に対してプロテクタ３１を所定寸法離間するように配置してから充填してもよい。
【００４２】
前述したグロメット３０によれば、第１実施形態のグロメット１０と同様に、充填剤３からのワイヤハーネス２の剥がれが防止される。また、プロテクタ３１の形状が簡単な形状となっているので、容易、かつ、安価に製作できる。
【００４３】
図４に示すように、本発明に係る第４実施形態のグロメット４０は、円筒形状のプロテクタ４１を有し、ワイヤハーネス２が挿通されて円筒部２０ｂ内に配置され、充填剤３に埋設されている。プロテクタ４１の一端４１ａは、円筒部２０ｂの開放端部２０ｇから突出して配設されている。
【００４４】
前述したグロメット４０によれば、第１実施形態のグロメット１０と同様の効果がある。更に、プロテクタ４１が円筒形状となっているので、どの方向から力が作用してもワイヤハーネス２はプロテクタ４１に当接し、ワイヤハーネス２の屈曲を確実に防止できる。
【００４５】
図５に示すように、本発明に係る第５実施形態のグロメット５０は、ワイヤハーネス２が挿通されたコルゲートチューブ状のプロテクタ５１が、円筒部２０ｂ内に配置され、充填剤３に埋設されている。プロテクタ５１の一端５１ａは、円筒部２０ｂの開放端部２０ｇから突出して配設されている。
なお、コルゲートチューブ状のプロテクタ５１には、軸方向に切目５１ｂを設けるようにしてもよく、この場合には、切目５１ｂを開いてワイヤハーネス２に被せることができるので、ワイヤハーネス２への装着が容易となる。
【００４６】
前述したグロメット５０によれば、プロテクタ５１は可撓性を有しているので、大きな剛性を持つプロテクタに比較すると、ワイヤハーネス２の支持性能は弱い。しかし、ワイヤハーネス２にある程度の自由度を付与することができ、またワイヤハーネス２に作用する力が一箇所に集中することはなく、分散されるので、ワイヤハーネス２の特定の部位の損傷を回避できる利点がある。
【００４７】
図６に示すように、本発明に係る第６実施形態のグロメット６０は、断面略Ｕ字形に形成されたプロテクタ６１が、円筒部２０ｂの外周面２０ｈに沿わせて配置、固定されている。プロテクタ６１と円筒部２０ｂの固定は、接着あるいはテーピング等により行うことができる。プロテクタ６１の一端６１ａは、円筒部２０ｂの開放端部２０ｇから突出して配設されている。
【００４８】
前述したグロメット６０によれば、ワイヤハーネス２に作用する力の作用点を、円筒部から遠くでき、充填剤の接合部に加わる力を緩和できる。
また、プロテクタ６１の向きを、力が作用する方向に合わせて配設することが容易であり、作業性がよい。
【００４９】
図７に示すように、本発明に係る第７実施形態のグロメット７０は、断面略Ｌ字形に形成されたプロテクタ７１が、円筒部２０ｂの外周面２０ｈに沿わせて配置、固定されている。プロテクタ７１と円筒部２０ｂの固定は、接着あるいはテーピング等により行うことができる。
プロテクタ７１の一端７１ａは、円筒部２０ｂの開放端部２０ｇから突出して配設されている。
【００５０】
前述したグロメット７０によれば、第６実施形態のグロメット６０と同様の効果を有する。また、プロテクタ７１の製作が容易である。
【００５１】
図８に示すように、本発明に係る第８実施形態のグロメット８０は、円筒形状のプロテクタ８１が、円筒部２０ｂの外周面２０ｈに嵌合し、固定されている。プロテクタ８１と円筒部２０ｂの固定は、接着あるいはテーピング等により行うことができる。
プロテクタ８１の一端８１ａは、円筒部２０ｂの開放端部２０ｇから突出して配設されている。
【００５２】
前述したグロメット８０によれば、第６実施形態のグロメット６０と同様の効果を有する。また、ワイヤハーネス２に作用する力の方向に無関係に、ワイヤハーネス２を保護できる。
【００５３】
図９に示すように、本発明に係る第９実施形態のグロメット９０は、コルゲートチューブ状のプロテクタ９１が、円筒部２０ｂの外周面２０ｈに嵌合し、固定されている。プロテクタ９１と円筒部２０ｂの固定は、接着あるいはテーピング等により行うことができる。プロテクタ９１の一端９１ａは、円筒部２０ｂの開放端部２０ｇから突出して配設されている。プロテクタ９１には、軸方向に切目９１ｂを設けて、円筒部２０ｂへの装着を容易にすることも可能である。
【００５４】
なお、コルゲートチューブ状のプロテクタ９１の開放端部２０ｇからの突出長さは、プロテクタ９１が可撓性を有しているので、可撓性のないプロテクタ６１，７１，および８１に比較して長くすることがワイヤハーネス２の保護の観点から有効である。
【００５５】
前述したグロメット９０によれば、第６実施形態のグロメット６０と同様の効果を有する。また、ワイヤハーネス２に作用する力が、コルゲートチューブ状のプロテクタ９１にも分散され、力が一箇所に集中することがない。
【００５６】
なお、本発明のグロメットは、前述した各実施形態に限定されるものではなく、適宜な変形、改良等が可能である。
例えば、前述した各実施形態では、グロメットを合成ゴムで一体成形した例について説明したが、その他の可撓性材料でグロメットを成形してもよく、一体に成形しなくてもよい。
【００５７】
その他、前述した各実施形態において例示した長尺部材、円筒部、充填剤、グロメット、規制手段、壁部材等の材質、形状、寸法、形態、数、配置箇所等は、本発明を達成できるものであれば任意であり、限定されない。
【００５８】
【発明の効果】
以上、説明したように、本発明によれば、請求項１に記載したように、円筒部の開放端部から突出する長尺部材の屈曲を規制する規制手段が設けられている。長尺部材に横方向の力が作用して長尺部材が屈曲しようとすると、規制手段に当接して屈曲が規制される。これによって、長尺部材が、充填剤の接合部で曲げられることが防止できる。
従って、このグロメットにおいては、長尺部材と充填剤とが剥がれてシール性能が損なわれることはない。従来のような、長尺部材と充填剤との隙間から水等が室内に侵入し、床等を濡らしてしまうという問題を解消できる。
【００５９】
また、本発明によれば、請求項２に記載したように、壁部材が長尺部材に対して略平行に配置されているので、長尺部材が壁部材に直接接触することにより、長尺部材の屈曲を直接的に規制できる。
従って、このグロメットにおいては、長尺部材の屈曲に起因する長尺部材と充填剤との剥がれを確実に防止することができる。
【００６０】
また、本発明によれば、請求項３に記載したように、壁部材が充填剤に埋設され、長尺部材に隣接して固定されているので、長尺部材に屈曲が発生すると、直ちに壁部材に当接し、長尺部材の屈曲を規制する。
従って、このグロメットにおいては、長尺部材が大きく曲がって、長尺部材と充填剤との間に隙間が生じ、シール性能が損なわれるという問題を解消できる。
【００６１】
また、本発明によれば、請求項４に記載したように、壁部材は、長尺部材に密着して状態で充填剤に埋設されているので、充填剤と長尺部材の接合部で、長尺部材に曲りが生じることがない。
従って、充填剤の接合部に力が作用することがなく、請求項３で述べた効果を更に確実にすることができ、長尺部材が充填剤から剥がれるという問題を解消できる。
【００６２】
また、本発明によれば、請求項５に記載したように、壁部材は、円筒部の外周面に沿うと共に、円筒部の開放端部から突出するように固定されている。これによって、長尺部材を屈曲させるように作用する力が、円筒部近傍の長尺部材に直接加わることが阻止できる。
従って、このグロメットにおいては、長尺部材に横方向から作用する力の作用点が、円筒部から遠くなるので、充填剤の接合部に作用する力を緩和できる。
【００６３】
また、本発明によれば、請求項６に記載したように、壁部材は、断面略半円形状となっているので、横方向から長尺部材に作用する力の方向に合わせ、円筒部に配設することができ、壁部材が有効に機能する。また、円筒部への壁部材の取付けも容易であり、作業性が向上する。
【００６４】
また、本発明によれば、請求項７に記載したように、壁部材は、断面略Ｌ字形状となっているので、請求項６で述べた効果に加えて、壁部材を容易、かつ、安価に製作できる。
【００６５】
また、本発明によれば、請求項８に記載したように、壁部材は、円筒形状となっているので、長尺部材を屈曲させるように作用する力が、どの方向から作用しても長尺部材の屈曲を確実に防止できる。
従って、このグロメットにおいては、長尺部材に作用する力の方向に無関係に、長尺部材が充填剤から剥がれることが防止され、シール性能が劣化することもない。
【００６６】
また、本発明によれば、請求項９に記載したように、壁部材は、コルゲートチューブ状の部材として構成されている。コルゲートチューブは、可撓性を有するため、長尺部材に横方向から力が作用すると、長尺部材と共にコルゲートチューブも屈曲する。これによって、長尺部材に作用する力が、コルゲートチューブの全長にわたって分散され、長尺部材の屈曲が一箇所に集中することが阻止され、長尺部材を保護できる。
【図面の簡単な説明】
【図１】第１実施形態を示す要部断面図である。
【図２】第２実施形態のグロメットを示す斜視図である。
【図３】第３実施形態のグロメットを示す斜視図である。
【図４】第４実施形態のグロメットを示す斜視図である。
【図５】第５実施形態のグロメットを示す斜視図である。
【図６】第６実施形態のグロメットを示す斜視図である。
【図７】第７実施形態のグロメットを示す斜視図である。
【図８】
第８実施形態のグロメットを示す斜視図である。
【図９】第９実施形態のグロメットを示す斜視図である。
【図１０】従来例を示す縦断面図である。
【符号の説明】
２　ワイヤハーネス（長尺部材）
３　充填剤
１０，２０，３０，４０，５０，６０，７０，８０，９０　グロメット
１０ｂ，２０ｂ　円筒部
１０ｇ，２０ｇ　開放端部
２０ｈ　外周面
１１，２１，６１　壁部材（規制手段）
３１，７１　壁部材（規制手段）
４１，８１　壁部材（規制手段）
５１，９１　壁部材（規制手段）
【図１】
2004023903.tif 000003
【図２】
2004023903.tif 000004
【図３】
2004023903.tif 000005
【図４】
2004023903.tif 000006
【図５】
2004023903.tif 000007
【図６】
2004023903.tif 000008
【図７】
2004023903.tif 000009
【図８】
2004023903.tif 000010
【図９】
2004023903.tif 000011
【図１０】
2004023903.tif 000012